(57)【要約】【課題】薄型表示装置本体内に収容されている電子部品の特性を阻害することなく磁力によって壁掛けすることができる薄型表示装置を提供する。【解決手段】前側に表示面を有し、電子部品が収容されている薄型表示装置本体１の後側に、該薄型表示装置本体１を壁体に取着するための磁石２を備えており、該磁石２を、磁力によって前記電子部品の特性に変化を与えない位置に配置することにより、画質及び表示機能を劣化させることなく、壁掛けすることができるようにした。【選択図】図３
2007334258.tif 000002
【特許請求の範囲】
【請求項１】
前側に表示面を有し、電子部品が収容されている薄型表示装置本体の後側に、該薄型表示装置本体を壁体に取着するための磁石を備える薄型表示装置において、前記磁石は、磁力によって前記電子部品の特性に変化を与えない位置に配置してあることを特徴とする薄型表示装置。
【請求項２】
前側に表示面を有する薄型表示装置本体の後側に、標記部及び前記薄型表示装置本体を壁体に取着するための磁石を備える薄型表示装置において、前記磁石は、前記標記部と前後に対向する位置と異なる位置に配置してあることを特徴とする薄型表示装置。
【請求項３】
前側に表示面を有する薄型表示装置本体の後側に、該薄型表示装置本体を壁体に取着するための磁石を備える薄型表示装置において、前記磁石を保持し、該磁石を前記薄型表示装置本体と前後に離隔して配置する磁石保持部材を前記薄型表示装置本体の後側に取着してあることを特徴とする薄型表示装置。
【請求項４】
前側に表示面を有する薄型表示装置本体の後側に、該薄型表示装置本体を壁体に取着するための磁石を備える薄型表示装置において、前記後側に、前記磁石を保持している磁石保持部材を上下方向へ回動を可能に取着してあることを特徴とする薄型表示装置。
【請求項５】
前側に表示面を有する薄型表示装置本体の後側に、該薄型表示装置本体を壁体に取着するための磁石を備える薄型表示装置において、前記後側に、前記磁石を保持している磁石保持部材を上下方向及び横方向へ回動を可能に取着してあることを特徴とする薄型表示装置。
【請求項６】
前記磁石保持部材は、前記磁石より後方へ延出された複数の凸部を有し、該凸部が嵌合されるべき凹部を有する壁掛用磁性部材を備える請求項３乃至５のいずれか一つに記載の薄型表示装置。
【請求項７】
前記磁石は可撓性を有する吸盤である請求項１乃至５のいずれか一つに記載の薄型表示装置。
【請求項８】
前記磁石の表面は波形をなし、該磁石の表面に対応する凹凸部を有する壁掛用磁性部材を備える請求項１乃至５のいずれか一つに記載の薄型表示装置。
【請求項９】
前側に表示面を有する薄型表示装置本体の後側に、該薄型表示装置本体を壁体に取着するための磁石を備える薄型表示装置において、前記薄型表示装置本体は、前記磁石より後方へ延出された複数の凸部を有し、該凸部が嵌合されるべき凹部を有する壁掛用磁性部材を備えることを特徴とする薄型表示装置。
【請求項１０】
前記凸部は柱形をなしている請求項６又は８記載の薄型表示装置。
【請求項１１】
前記凸部は筋であり、前記凹部は溝である請求項６又は８記載の薄型表示装置。
【請求項１２】
前記壁掛用磁性部材は、隣合う凹部とほぼ等間隔で離隔し、前記凸部が嵌合されるべき複数の補助凹部を有する請求項６又は８記載の薄型表示装置。
【請求項１３】
前側に表示面を有する薄型表示装置本体の後側に、該薄型表示装置本体を壁体に取着するための磁石を備える薄型表示装置において、前記磁石の表面は波形をなし、該磁石の表面に対応する凹凸部を有する壁掛用磁性部材を備えることを特徴とする薄型表示装置。
【発明の詳細な説明】
【技術分野】
【０００１】
本発明は液晶表示装置、プラズマ表示装置等の薄型表示装置に関する。
【背景技術】
【０００２】
画像を表示する表示面を前側に有する液晶テレビ、プラズマテレビ等の薄型表示装置は、壁掛タイプと床置きタイプとがある。
【０００３】
壁掛タイプの薄型表示装置は、前側に表示面を有し、電気部品が内部に収容されている薄型表示装置本体の後面に一枚の板磁石を直接貼着し、壁体に固定される壁掛用磁性体に前記板磁石を吸着することにより薄型表示装置本体を壁掛けすることができるように構成されている（例えば、特許文献１参照）。
【０００４】
また、床置きタイプの薄型表示装置は、前記薄型表示装置本体を支持するスタンドを備える。
【特許文献１】実開平３−３６２８０号公報
【発明の開示】
【発明が解決しようとする課題】
【０００５】
ところが、薄型表示装置本体の後面に板磁石が直接貼着されている特許文献１の薄型表示装置にあっては、薄型表示装置本体の内部に装着されているインバータ回路のトランス等の電子部品、電源部のコイル、フィルタ等の電子部品、スピーカのボイスコイル等の電子部品と前後に対向する位置に板磁石が配置されるため、薄型表示装置の前後厚さが薄くなる程、板磁石が電子部品の特性に悪影響を及ぼすことになり、改善策が要望されていた。
【０００６】
また、薄型表示装置本体の後面に板磁石が直接貼着されている薄型表示装置にあっては、薄型表示装置本体の後面と壁体との間に空間がないため、薄型表示装置本体が発生する熱の外部への放熱性、及び薄型表示装置本体内に外気を吸気して廃熱するための吸気性が悪くなり、比較的大形の薄型表示装置にあっては前記電子部品が破壊され易くなるし、また、薄型表示装置本体の後面に貼着される安全認証マークが板磁石により隠蔽されることになり、安全認証されていることの確認ができなくなる等の問題がある。
【０００７】
また、薄型表示装置本体の後面に板磁石が貼着されているため、薄型表示装置本体の上下方向の傾き角度、及び横方向の傾き角度を変えることができなかった。
【０００８】
本発明は斯かる事情に鑑みてなされたものであり、主たる目的は電子部品が収容されている薄型表示装置本体を壁体に取着するための磁石を、磁力によって前記電子部品の特性に変化を与えない位置に配置することにより、電子部品の特性を阻害することなく磁力によって壁掛けすることができ、画質及び表示機能を劣化させることなく、壁掛け及び取外しを容易に行うことができる薄型表示装置を提供することにある。
【０００９】
また、他の目的は適宜の事項が標記されている標記部を後側に有する薄型表示装置本体の前記後側に設けられる磁石を、前記標記部と前後に対向する位置と異なる位置に配置することにより、安全認証されていることの標記、機種番号の標記等を磁石で邪魔されることなく目視することができる薄型表示装置を提供することにある。
【００１０】
また、他の目的は薄型表示装置本体を壁体に取着するための磁石を保持し、該磁石を薄型表示装置本体と前後に離隔して配置する磁石保持部材を薄型表示装置本体の後側に取着することにより、薄型表示装置本体が発生する熱の外部への放熱性、及び外気の薄型表示装置本体内への吸気性を高めることができる薄型表示装置を提供することにある。
【００１１】
また、他の目的は薄型表示装置本体の後側に、磁石を保持している磁石保持部材を上下方向へ回動を可能に取着することにより、薄型表示装置本体の上下方向への傾き角度の調整を阻害することなく壁掛け及び取外しを容易に行うことができる薄型表示装置を提供することにある。
【００１２】
また、他の目的は薄型表示装置本体の後側に、前記磁石を保持している磁石保持部材を上下方向及び横方向へ回動を可能に取着することにより、薄型表示装置本体の上下方向及び横方向への傾き角度の調整を阻害することなく壁掛け及び取外しを容易に行うことができる薄型表示装置を提供することにある。
【００１３】
また、他の目的は磁石より後方へ延出された複数の凸部を磁石保持部材に設け、該凸部が嵌合されるべき凹部を有する壁掛用磁性部材を備えることにより、壁掛け位置の位置決めを容易に行うことができ、しかも、薄型表示装置本体の荷重の一部を凸部及び凹部で負担することができる薄型表示装置を提供することにある。
【００１４】
また、他の目的は可撓性を有する吸盤の磁石とすることにより、磁力による吸着力と、吸盤による吸引力とにより薄型表示装置本体を取着することができる薄型表示装置を提供することにある。
【００１５】
また、他の目的は磁石の表面を波形とし、該磁石の表面に対応する凹凸部を有する壁掛用磁性部材を備えることにより、磁石の接触面積を増加でき、磁力による吸着力をより一層高めることができる薄型表示装置を提供することにある。
【００１６】
また、他の目的は薄型表示装置本体の後側に、磁石より後方へ延出された複数の凸部を設け、該凸部が嵌合されるべき凹部を有する壁掛用磁性部材を備えることにより、壁掛け位置の位置決めを容易に行うことができ、しかも、薄型表示装置本体の荷重の一部を凸部及び凹部で負担することができる薄型表示装置を提供することにある。
【００１７】
また、他の目的は前記凸部を柱形とすることにより、凸部及び凹部による荷重負担の割合をより一層高めることができ、壁掛け強度をより一層高めることができる薄型表示装置を提供することにある。
【００１８】
また、他の目的は前記凸部を筋とし、凹部を溝とすることにより、凸部及び凹部の接触面積を増加でき、壁掛け強度をより一層高めることができる薄型表示装置を提供することにある。
【００１９】
また、他の目的は複数の凹部を有する壁掛用磁性部材に、隣合う凹部とほぼ等間隔で離隔し、凸部が嵌合されるべき複数の補助凹部を設けることにより、壁掛け位置の位置決め範囲を増加でき、壁掛け位置を微調整することができる薄型表示装置を提供することにある。
【００２０】
また、他の目的は磁石の表面を波形とし、該磁石の表面に対応する凹凸部を有する壁掛用磁性部材を備えることにより、磁石の接触面積を増加でき、磁力による吸着力をより一層高めることができる薄型表示装置を提供することにある。
【課題を解決するための手段】
【００２１】
本発明に係る薄型表示装置は、前側に表示面を有し、電子部品が収容されている薄型表示装置本体の後側に、該薄型表示装置本体を壁体に取着するための磁石を備える薄型表示装置において、前記磁石は、磁力によって前記電子部品の特性に変化を与えない位置に配置してあることを特徴とする。
【００２２】
この発明にあっては、薄型表示装置本体内の電子部品の特性に変化を与えない位置に磁石を配置してあるため、電子部品の特性を阻害することなく磁力によって壁掛けすることができ、画質及び表示機能を劣化させることなく、壁掛け及び取外しを容易に行うことができる。
【００２３】
また、本発明に係る薄型表示装置は、前側に表示面を有する薄型表示装置本体の後側に、標記部及び前記薄型表示装置本体を壁体に取着するための磁石を備える薄型表示装置において、前記磁石は、前記標記部と前後に対向する位置と異なる位置に配置してあることを特徴とする。
【００２４】
この発明にあっては、安全認証マーク等の標記部を隠蔽することなく磁石が配置されているため、安全認証されていることの標記、機種番号の標記等を磁石で邪魔されることなく目視することができ、ユーザによる安全性の確認等を容易に行うことができる。
【００２５】
また、本発明に係る薄型表示装置は、前側に表示面を有する薄型表示装置本体の後側に、該薄型表示装置本体を壁体に取着するための磁石を備える薄型表示装置において、前記磁石を保持し、該磁石を前記薄型表示装置本体と前後に離隔して配置する磁石保持部材を前記薄型表示装置本体の後側に取着してあることを特徴とする。
【００２６】
この発明にあっては、磁石を保持している磁石保持部材と薄型表示装置本体との間に、外部に開放される空洞があるため、薄型表示装置本体が発生する熱を前記空洞から外部へ放熱することができ、また、外気を前記空洞から薄型表示装置本体内に吸気することが可能である。
【００２７】
また、本発明に係る薄型表示装置は、前側に表示面を有する薄型表示装置本体の後側に、該薄型表示装置本体を壁体に取着するための磁石を備える薄型表示装置において、前記後側に、前記磁石を保持している磁石保持部材を上下方向へ回動を可能に取着してあることを特徴とする。
【００２８】
この発明にあっては、薄型表示装置本体に上下方向へ回動を可能に取着された磁石保持部材に磁石を保持してあるため、薄型表示装置本体の上下方向への傾き角度の調整を阻害することなく壁掛け及び取外しを容易に行うことができる。
【００２９】
また、本発明に係る薄型表示装置は、前側に表示面を有する薄型表示装置本体の後側に、該薄型表示装置本体を壁体に取着するための磁石を備える薄型表示装置において、前記後側に、前記磁石を保持している磁石保持部材を上下方向及び横方向へ回動を可能に取着してあることを特徴とする。
【００３０】
この発明にあっては、薄型表示装置本体に上下方向及び横方向へ回動を可能に取着された磁石保持部材に磁石を保持してあるため、薄型表示装置本体の上下方向及び横方向への傾き角度の調整を阻害することなく壁掛け及び取外しを容易に行うことができる。
【００３１】
また、本発明に係る薄型表示装置は、前記磁石保持部材は、前記磁石より後方へ延出された複数の凸部を有し、該凸部が嵌合されるべき凹部を有する壁掛用磁性部材を備えることを特徴とする。
【００３２】
この発明にあっては、磁石保持部材が保持する磁石を壁掛用磁性部材に吸着させることにより、複数の凸部を凹部に嵌合することができるため、壁掛け位置の位置決めを容易に行うことができ、また、壁掛け及び取外しを容易に行うことができる。しかも、薄型表示装置本体の荷重の一部を凸部及び凹部で負担することができるため、壁掛け強度を高めることができる。
【００３３】
また、本発明に係る薄型表示装置は、前記磁石は可撓性を有する吸盤であることを特徴とする。
【００３４】
この発明にあっては、磁石の磁力による吸着力と、吸盤による吸引力とにより薄型表示装置本体を取着することができるため、壁掛け強度を高めることができる。
【００３５】
また、本発明に係る薄型表示装置は、前記磁石の表面は波形をなし、該磁石の表面に対応する凹凸部を有する壁掛用磁性部材を備えることを特徴とする。
【００３６】
この発明にあっては、表面が波形をなす磁石が凹凸部に吸着されるため、磁石の接触面積を増加でき、磁力による吸着力をより一層高めることができる。
【００３７】
また、本発明に係る薄型表示装置は、前側に表示面を有する薄型表示装置本体の後側に、該薄型表示装置本体を壁体に取着するための磁石を備える薄型表示装置において、前記薄型表示装置本体は、前記磁石より後方へ延出された複数の凸部を有し、該凸部が嵌合されるべき凹部を有する壁掛用磁性部材を備えることを特徴とする。
【００３８】
この発明にあっては、磁石保持部材が保持する磁石を壁掛用磁性部材に吸着させることにより、複数の凸部を凹部に嵌合することができるため、壁掛け位置の位置決めを容易に行うことができ、また、壁掛け及び取外しを容易に行うことができる。しかも、薄型表示装置本体の荷重の一部を凸部及び凹部で負担することができるため、壁掛け強度を高めることができる。
【００３９】
また、本発明に係る薄型表示装置は、前記凸部は柱形をなしていることを特徴とする。
【００４０】
この発明にあっては、磁石保持部材が保持する磁石を壁掛用磁性部材に吸着させることにより、柱形の凸部を凹部に嵌合することができるため、凸部及び凹部による荷重負担の割合をより一層高めることができ、壁掛け強度をより一層高めることができる。
【００４１】
また、本発明に係る薄型表示装置は、前記凸部は筋であり、前記凹部は溝であることを特徴とする。
【００４２】
この発明にあっては、筋の凸部を溝の凹部に嵌合して吸着することができるため、凸部及び凹部の接触面積を増加でき、壁掛け強度をより一層高めることができる。
【００４３】
また、本発明に係る薄型表示装置は、前記壁掛用磁性部材は、隣合う凹部とほぼ等間隔で離隔し、前記凸部が嵌合されるべき複数の補助凹部を有することを特徴とする。
【００４４】
この発明にあっては、薄型表示装置本体の凸部を、壁掛用磁性部材の凹部又は凹部及び補助凹部に嵌合することができるため、壁掛け位置の位置決め範囲を増加でき、壁掛け位置を微調整することができる。
【００４５】
また、本発明に係る薄型表示装置は、前側に表示面を有する薄型表示装置本体の後側に、該薄型表示装置本体を壁体に取着するための磁石を備える薄型表示装置において、前記磁石の表面は波形をなし、該磁石の表面に対応する凹凸部を有する壁掛用磁性部材を備えることを特徴とする。
【００４６】
この発明にあっては、表面が波形をなす磁石を凹凸部に嵌合して吸着することができるため、磁石の接触面積を増加でき、磁力による吸着力をより一層高めることができる。
【発明の効果】
【００４７】
以上詳述したように本発明によれば、薄型表示装置本体内に収容されている電子部品の特性を阻害することなく磁力によって壁掛けすることができ、画質及び表示機能を劣化させることなく、壁掛け及び取外しを容易に行うことができる。
【００４８】
また、本発明によれば、安全認証マーク等の標記部を隠蔽することなく磁石が配置されているため、安全認証されていることの標記、機種番号の標記等を磁石で邪魔されることなく目視することができ、ユーザによる安全性の確認等を容易に行うことができる。
【００４９】
また、本発明によれば、薄型表示装置本体が発生する熱を、磁石保持部材及び薄型表示装置本体の間の空洞から外部へ放熱することができ、また、外気を前記空洞から薄型表示装置本体内に吸気することが可能であるため、放熱性及び吸気性を高めることができ、薄型表示装置本体の内部の温度上昇を抑制することができる。
【００５０】
また、本発明によれば、薄型表示装置本体の上下方向への傾き角度の調整を阻害することなく壁掛け及び取外しを容易に行うことができる。
【００５１】
また、本発明によれば、薄型表示装置本体の上下方向及び横方向への傾き角度の調整を阻害することなく壁掛け及び取外しを容易に行うことができる。
【００５２】
また、本発明によれば、磁石保持部材が保持する磁石を壁掛用磁性部材に吸着させることにより、複数の凸部を凹部に嵌合するため、壁掛け位置の位置決めを容易に行うことができ、しかも、薄型表示装置本体の荷重の一部を凸部及び凹部で負担することができるため、壁掛け強度を高めることができる。
【００５３】
また、本発明によれば、磁石の磁力による吸着力と、吸盤による吸引力とにより薄型表示装置本体を取着することができるため、壁掛け強度を高めることができる。
【００５４】
また、本発明によれば、表面が波形をなす磁石が凹凸部に吸着されるため、磁石の接触面積を増加でき、磁力による吸着力をより一層高めることができる。
【００５５】
また、本発明によれば、柱形の凸部を凹部に嵌合するため、凸部及び凹部による荷重負担の割合をより一層高めることができ、壁掛け強度をより一層高めることができる。
【００５６】
また、本発明によれば、筋の凸部を溝の凹部に嵌合して吸着するため、凸部及び凹部の接触面積を増加でき、壁掛け強度をより一層高めることができる。
【００５７】
また、本発明によれば、凸部を凹部又は凹部及び補助凹部に嵌合することができるため、壁掛け位置の位置決め範囲を増加でき、壁掛け位置を微調整することができる。
【００５８】
また、本発明によれば、表面が波形をなす磁石を凹凸部に嵌合して吸着するため、磁石の接触面積を増加でき、磁力による吸着力をより一層高めることができる。
【発明を実施するための最良の形態】
【００５９】
以下本発明をその実施の形態を示す図面に基づいて詳述する。
実施の形態１
図１は本発明に係る薄型表示装置の構成を示す正面側の斜視図、図２は磁石が設けられていない薄型表示装置の構成を示す背面図、図３は磁石を備える薄型表示装置の構成を示す背面図である。
【００６０】
図示した薄型表示装置はテレビ画像を表示する表示面１ａを前側に有し、略直方体をなす薄型表示装置本体１と、該薄型表示装置本体１の後面に貼着され、該薄型表示装置本体１を壁体に取着するための複数の板状の磁石２とを備える。
【００６１】
薄型表示装置本体１は、前側に表示面１ａを有し略直方体をなすパネル１１と、該パネル１１の後側に配置された拡散板等の光学シートと、該光学シートの後側に配置され複数の発光灯及び反射板を有するバックライト部と、該バックライト部の後側に配置され、複数の電子部品が実装されているインバータ基板１２及び電源基板等の複数の基板と、パネル１１の周縁部を覆う枠形のフロントキャビネット１３と、前記バックライト部の後側を被覆するリアキャビネット１４とを備える。
【００６２】
リアキャビネット１４の後面でインバータ基板１２と反対側には端子基板１５が装着されており、また、リアキャビネット１４の後面下部にはスタンド取付部１６及び電源線１７の挿通孔１４ａが設けられており、また、リアキャビネット１４の後面中央部には、シートに安全認証事項が標記されている安全認証マーク等の標記部３が貼着されている。また、リアキャビネット１４の後面には上下及び横方向に離隔する四つの螺子孔１４ｂが設けられており、該螺子孔１４ｂに螺着されるビスにより壁掛具を取付けることが可能になっている。
【００６３】
磁石２は表側となる吸着面と、裏側となる貼着面との磁極を異にする板磁石からなり、リアキャビネット１４の後面に貼着されている。この磁石２は、標記部３に対応する貫通孔２１を有し、リアキャビネット１４の後面中央部に配置された第１の板磁石２ａと、第１の板磁石２ａ及び端子基板１５の間に配置された第２の板磁石２ｂと、第１の板磁石２ａ及びインバータ基板１２の間に配置された第３の板磁石２ｃとを備え、いずれの板磁石２ａ，２ｂ，２ｃも磁力によって前記基板の電子部品の特性に変化を与えない位置、換言すると、前記電子部品と前後に向合う位置に対して偏倚した位置に配置されている。また、第１〜第３の板磁石２ａ〜２ｃは吸着面が端子基板１５より後方に位置する板厚に形成されている。
【００６４】
以上のように構成された薄型表示装置は、磁性を有する壁体、又は壁掛用磁性部材が固定されている壁体に磁石２の磁力により壁体と平行に取着される。
【００６５】
第１〜第３の板磁石２ａ〜２ｃはインバータ基板１２に実装されているトランス等の電子部品、電源基板に実装されているコイル、フィルタ等の電子部品の特性に変化を与えない位置に貼着されているため、前記トランス、コイル、フィルタ等の電子部品の特性を阻害することがなく、画質及び表示機能を劣化を防ぐことができる。
【００６６】
また、第１の板磁石２ａは、標記部３に対応する箇所に貫通孔２１が設けられており、貫通孔２１内に標記部３が配置されているため、薄型表示装置が安全認証されていることの標記、機種番号の標記等を薄型表示装置本体１の外部で容易に確認することができる。
尚、磁石２は第１〜第３の板磁石２ａ，２ｂ，２ｃに分かれている他、一体であってもよい。
【００６７】
実施の形態２
図４は薄型表示装置の構成を示す背面図、図５は側面図、図６は平面図である。この薄型表示装置は、薄型表示装置本体１の後面に磁石２を直接貼着する代わりに、薄型表示装置本体１の後面に、上下及び横方向に離隔する複数の突起４を設け、該突起４に板状の磁石保持部材５を取付け、該磁石保持部材５の後面に磁石２を貼着したものである。
【００６８】
磁石保持部材５は薄型表示装置本体１の後面に対応する大きさの矩形の鉄板からなり、該磁石保持部材５と薄型表示装置本体１の後面との間に外部に開放された空洞が設けられている。また、磁石保持部材５は突起４がリアキャビネット１４の後面に開設されている螺子孔１４ｂに取付けられている。
【００６９】
磁石２は標記部３に対応する貫通孔２１が開設されている一枚の板磁石からなる。また、磁石保持部材５には標記部３及び貫通孔２１に対応する貫通孔５１が開設されている。
【００７０】
以上のように構成された薄型表示装置は、薄型表示装置本体１の後面に磁石保持部材５が固定されているため、薄型表示装置本体１は磁石２の磁力により壁体と平行に取着される。
【００７１】
磁石２を保持している磁石保持部材５は薄型表示装置本体１の後面と前後に離隔して配置されているため、磁石２の磁力が薄型表示装置本体１内の電子部品の特性を阻害し難いし、また、磁石２の磁力により壁体に固定された磁石保持部材５と薄型表示装置本体１との間に、外部に開放された空洞が発生する。従って、薄型表示装置本体１が発生する熱を前記空洞から外部へ放熱することができ、また、外気を前記空洞から薄型表示装置本体１内に吸気することが可能であり、薄型表示装置本体１の内部の温度上昇を抑制することができる。
【００７２】
また、薄型表示装置本体１の後面と前後に離隔して配置される磁石保持部材５に磁石２を保持してあるため、該磁石２を一枚の板磁石２で構成することができる。また、磁石保持部材５は鉄板であるため、磁石保持部材５に保持している磁石２の磁力が薄型表示装置本体１内の電子部品の特性を阻害し難い。
その他の構成及び作用は実施の形態１と同様であるため、同様の部品については同じ符号を付し、その詳細な説明及び作用効果の説明を省略する。
【００７３】
実施の形態３
図７は薄型表示装置の構成を示す背面図、図８は側面図、図９は平面図である。この薄型表示装置は、薄型表示装置本体１に磁石２を固定する代わりに、薄型表示装置本体１の後面に磁石保持部材５を上下方向へ回動を可能に取着し、該磁石保持部材５の後面に磁石２を貼着したものである。
【００７４】
薄型表示装置本体１の後面には、横方向に離隔する二つの第１の連結部５２が突設されている。磁石保持部材５は薄型表示装置本体１の後面に対応する大きさの矩形板からなり、該磁石保持部材５の薄型表示装置本体１との対向面に第２の連結部５３が設けられており、第２の連結部５３が第１の連結部５２に上下方向へ回動を可能に取着されている。
【００７５】
磁石２は標記部３に対応する貫通孔２１が開設されている一枚の板磁石からなる。また、磁石保持部材５には標記部３及び貫通孔２１に対応する貫通孔５１が開設されている。
【００７６】
以上のように構成された薄型表示装置は、薄型表示装置本体１の後面に磁石保持部材５が上下方向へ回動を可能に取着されているため、磁石保持部材５が保持する磁石２の磁力により壁体に取着されたとき、磁石保持部材５を壁体に固定し、磁石保持部材５に対して薄型表示装置本体１を上下方向へ回動させることができる。従って、薄型表示装置本体１を壁体と平行に取着することができる他、薄型表示装置本体１の上下方向への傾き角度を調整することができ、また、薄型表示装置本体１の上下方向への傾き角度の調整を阻害することなく壁掛け及び取外しを容易に行うことができる。また、薄型表示装置本体１を上方へ回動することにより、薄型表示装置本体１の後面に貼着されている標記部３を目視することができるため、標記部３に対応する貫通孔を磁石保持部材５及び磁石２に設けなくともよい。また、壁体に取着された磁石保持部材５と薄型表示装置本体１との間に、外部に開放された空洞が発生する。
その他の構成及び作用は実施の形態１、２と同様であるため、同様の部品については同じ符号を付し、その詳細な説明及び作用効果の説明を省略する。
【００７７】
実施の形態４
図１０は薄型表示装置の構成を示す背面図、図１１は側面図、図１２は平面図である。この薄型表示装置は、薄型表示装置本体１に磁石２を固定する代わりに、薄型表示装置本体１の後面に磁石保持部材５を上下方向及び横方向へ回動を可能に取着し、該磁石保持部材５の後面に磁石２を貼着したものである。
【００７８】
薄型表示装置本体１は図２の状態から上下に反転され、スタンド取付部１６が上側に位置しており、該スタンド取付部１６に連結体５４がビスにより固定されている。
【００７９】
磁石保持部材５は薄型表示装置本体１の後面に対応する大きさの矩形板からなり、該磁石保持部材５の薄型表示装置本体１との対向面に第３の連結部５５が設けられており、第３の連結部５５が連結体５４に上下方向及び横方向へ回動を可能に取着されている。
【００８０】
磁石２は標記部３に対応する貫通孔２１が開設されている一枚の板磁石からなる。また、磁石保持部材５には標記部３及び貫通孔２１に対応する貫通孔５１が開設されている。
【００８１】
以上のように構成された薄型表示装置は、薄型表示装置本体１の後面に磁石保持部材５が上下方向及び横方向へ回動を可能に取着されているため、磁石保持部材５が保持する磁石２の磁力により壁体に取着されたとき、磁石保持部材５を壁体に固定し、磁石保持部材５に対して薄型表示装置本体１を上下方向及び横方向へ回動させることができる。従って、薄型表示装置本体１を壁体と平行に取着することができる他、薄型表示装置本体１の上下方向及び横方向への傾き角度を調整することができ、また、薄型表示装置本体１の上下方向及び横方向への傾き角度の調整を阻害することなく壁掛け及び取外しを容易に行うことができる。また、壁体に取着された磁石保持部材５と薄型表示装置本体１との間に、外部に開放された空洞が発生する。
【００８２】
尚、薄型表示装置本体１が図２の状態から上下に反転された場合、表示面に表示される画像は上下逆になるが、画像を表示する表示信号はデジタル化されているため、表示信号の出力を制御する制御部を操作することにより正常な画像となるように調整することができる。
その他の構成及び作用は実施の形態１〜３と同様であるため、同様の部品については同じ符号を付し、その詳細な説明及び作用効果の説明を省略する。
【００８３】
実施の形態５
図１３は薄型表示装置の構成を示す背面図、図１４は側面図、図１５は平面図である。この薄型表示装置は、磁石保持部材５を備える代わりに、薄型表示装置本体１の後面で上下及び横方向に離隔した位置に、可撓性を有する吸盤からなる四つの磁石２ｄを取付けたものである。
【００８４】
磁石２ｄは一面が凹の球面であり、他面が凸に湾曲する半球形をなし、湾曲する他面の中央部に突起２２設けられており、該突起２２がリアキャビネット１４の後面に開設されている螺子孔１４ｂに取付けられている。
【００８５】
以上のように構成された薄型表示装置は、薄型表示装置本体１の後面に吸盤の磁石２ｄが設けられているため、薄型表示装置本体１は磁石２ｄの磁力による吸着力と、吸盤による吸引力とにより壁体に取着することができ、壁掛け強度を高めることができる。また、薄型表示装置本体１の後面と前後に離隔して磁石２ｄの球面があり、磁石２ｄの間が外部に開放されているため、薄型表示装置本体１が発生する熱を磁石２ｄの間の空間から外部へ放熱することができ、また、外気を磁石２ｄの間の空間から薄型表示装置本体１内に吸気することが可能である。また、薄型表示装置本体１内の前記電子部品の特性を阻害しない位置に磁石２ｄを取付けることができるため、磁石２ｄの磁力が薄型表示装置本体１内の電子部品の特性を阻害し難いし、また、磁石２ｄの間で標記部３を目視することができる。
【００８６】
また、磁石２ｄが吸盤であるため、鉄板面の扉、工事現場の鉄骨に薄型表示装置を取着して設計図面等の確認を行う場合、薄型表示装置を簡易に取着することができる。
その他の構成及び作用は実施の形態１、２と同様であるため、同様の部品については同じ符号を付し、その詳細な説明及び作用効果の説明を省略する。
【００８７】
実施の形態６
図１６は薄型表示装置の構成を示す側面図、図１７は薄型表示装置の一部を分解した側面図、図１８の(a) は磁石保持部材の構成を示す斜視図、図１８の(b) は磁石保持部材の構成を示す側面図、図１９は磁石の構成を示す斜視図、図２０は磁石が保持された磁石保持部材及び壁掛用磁性部材の構成を示す斜視図である。
【００８８】
この薄型表示装置は、薄型表示装置本体１の後面に、上下及び横方向に離隔する複数の突起４を設け、該突起４に板状の磁石保持部材５を取付け、該磁石保持部材５の後面に、上下及び横方向に夫々等間隔で離隔する複数の凸部５６を設け、該凸部５６に対応する貫通孔２３が開設されている板状の磁石２を磁石保持部材５に貼着し、凸部５６が嵌合されるべき凹部６１を有する壁掛用磁性部材６を備える構成としたものである。
【００８９】
磁石保持部材５は薄型表示装置本体１の後面に対応する大きさの矩形板からなり、突起４がリアキャビネット１４の後面に開設されている螺子孔１４ｂに取付けられている。凸部５６は円柱形をなし、磁石２より後方へ延出されており、磁石２の貫通孔２３に挿通された後、延出端部が凹部６１に嵌合されるように構成されている。
【００９０】
壁掛用磁性部材６は上下端から後方へ延出された延出片６ａ，６ａを有し、該延出片６ａ，６ａが壁体に固定されるように構成されている。
【００９１】
凹部６１は円孔からなり、凸部５６に対応する個数に加えて、隣合う凹部６１とほぼ等間隔で離隔し、凸部５６が嵌合されるべき複数の補助凹部６１ａが開設されており、凸部５６を凹部６１にだけ嵌合するか、又は凹部６１及び補助凹部６１ａに嵌合することができるように構成されている。尚、補助凹部６１ａは円孔からなる。
【００９２】
以上のように構成された薄型表示装置は、壁掛用磁性部材６の延出片６ａ，６ａが壁体に固定された状態で、磁石保持部材５の凸部５６を壁掛用磁性部材６の凹部６１に嵌合することにより、磁石２が壁掛用磁性部材６を吸着し、薄型表示装置本体１を壁掛けすることができる。このとき複数の凸部５６が凹部６１に嵌合されているため、薄型表示装置本体１の荷重を磁石２と、凸部５６及び凹部６１とで負担することができ、壁掛け強度を高めることができる。また、薄型表示装置本体１を壁掛けするとき、凸部５６を凹部６１に嵌合することにより壁掛け位置を決めることができるため、壁掛け位置の位置決めを容易に行うことができる。また、薄型表示装置本体１を取外すとき、磁石２による吸着力に打ち勝って薄型表示装置本体１を前方へ引張ることにより、凸部５６の凹部６１との嵌合を離脱することができ、取外しを容易に行うことができる。また、凸部５６は円柱形をなしているため、凸部５６及び凹部６１による荷重負担の割合をより一層高めることができ、壁掛け強度をより一層高めることができる。
【００９３】
図２１及び図２２は実施の形態６の他の壁掛け状態を示す側面図である。実施の形態６の薄型表示装置は、壁掛用磁性部材６に凹部６１及び補助凹部６１ａが設けられているため、例えば図２１のように壁掛用磁性部材６の中央に対して薄型表示装置本体１を上方へ偏倚する位置に壁掛けするとき、凹部６１及び該凹部６１の上側に配置されている補助凹部６１ａに凸部５６を嵌合することにより、薄型表示装置本体１を床寄りに壁掛けすることができ、また、図２２のように壁掛用磁性部材６の中央に対して薄型表示装置本体１を下方へ偏倚する位置に壁掛けするとき、凹部６１及び該凹部６１の下側に配置されている補助凹部６１ａに凸部５６を嵌合することにより、薄型表示装置本体１を天井寄りに壁掛けすることができる。また、壁掛用磁性部材６の中央に対して薄型表示装置本体１を横方向へ偏倚する位置に壁掛けすることもできる。このように薄型表示装置本体１の壁掛け位置を微調整することが容易にできる。
【００９４】
実施の形態７
図２３は薄型表示装置の構成を示す側面図、図２４は薄型表示装置の一部を分解した側面図、図２５の(a) は磁石保持部材の構成を示す斜視図、図２５の(b) は磁石保持部材の構成を示す側面図、図２６は磁石の構成を示す斜視図、図２７は磁石が保持された磁石保持部材及び壁掛用磁性部材の構成を示す斜視図である。
【００９５】
この薄型表示装置は、薄型表示装置本体１の後面に、上下及び横方向に離隔する複数の突起４を設け、該突起４に板状の磁石保持部材５を取付け、該磁石保持部材５の後面に、上下に等間隔で離隔する筋の凸部５６ａを複数設け、薄型表示装置本体１の後面の非凸部に短冊状の複数の板磁石２ｅを貼着し、凸部５６ａが嵌合されるべき溝又は長孔の凹部６１ｂを有する壁掛用磁性部材６を備える構成としたものである。
【００９６】
磁石保持部材５は薄型表示装置本体１の後面に対応する大きさの矩形板からなり、突起４がリアキャビネット１４の後面に開設されている螺子孔１４ｂに取付けられている。凸部５６ａは断面コ字形をなす筋であり、板磁石２ｅより後方へ延出されており、延出端部が凹部６１ｂに嵌合されるように構成されている。
【００９７】
壁掛用磁性部材６は上下端から後方へ延出された延出片６ａ，６ａを有し、該延出片６ａ，６ａが壁体に固定されるように構成されている。凹部６１ｂは断面コ字形をなしている。尚、凹部６１ｂは凸部５６ａに対応する個数に加えて、上下に隣合う凹部６１ｂとほぼ等間隔で離隔し、凸部５６ａが嵌合されるべき複数の補助凹部を備え、凸部５６ａを凹部６１ｂにだけ嵌合するか、又は凹部６１ｂ及び補助凹部に嵌合することができる構成としてもよい。
【００９８】
以上のように構成された薄型表示装置は、壁掛用磁性部材６の延出片６ａ，６ａが壁体に固定された状態で、磁石保持部材５の凸部５６ａを壁掛用磁性部材６の凹部６１ｂに嵌合することにより、板磁石２ｅが壁掛用磁性部材６を吸着し、薄型表示装置本体１を壁掛けすることができる。このとき複数の凸部５６ａが凹部６１ｂに嵌合されているため、薄型表示装置本体１の荷重を板磁石２ｅと、凸部５６ａ及び凹部６１ｂとで負担することができ、壁掛け強度を高めることができる。また、薄型表示装置本体１を壁掛けするとき、凸部５６ａを凹部６１ｂに嵌合することにより壁掛け位置を決めることができるため、壁掛け位置の位置決めを容易に行うことができる。また、薄型表示装置本体１を取外すとき、板磁石２ｅによる吸着力に打ち勝って薄型表示装置本体１を前方へ引張ることにより、凸部５６ａの凹部６１ｂとの嵌合を離脱することができ、取外しを容易に行うことができる。また、凸部５６ａは筋であり、凹部６１ｂは溝又は長孔であるため、凸部５６ａが凹部６１ｂに嵌合されている薄型表示装置本体１を横方向へずらせることができる。
【００９９】
実施の形態８
図２８は薄型表示装置の一部を分解した側面図である。この薄型表示装置は、実施の形態３に示した薄型表示装置が備える磁石保持部材５の後面に、上下及び横方向に等間隔で離隔する複数の凸部５６を設け、該凸部５６に対応する貫通孔２３が開設されている板状の磁石２を磁石保持部材５に貼着し、凸部５６が嵌合されるべき凹部６１を有する壁掛用磁性部材６を備える構成としたものである。
【０１００】
凸部５６は円柱形をなし、磁石２より後方へ延出されており、磁石２の貫通孔２３に挿通された後、延出端部が凹部６１に嵌合されるように構成されている。
【０１０１】
壁掛用磁性部材６は上下端から後方へ延出された延出片６ａ，６ａを有し、該延出片６ａ，６ａが壁体に固定されるように構成されている。
【０１０２】
凹部６１は円孔からなり、凸部５６に対応する個数に加えて、隣合う凹部６１とほぼ等間隔で離隔し、凸部５６が嵌合されるべき複数の補助凹部６１ａが開設されており、凸部５６を凹部６１にだけ嵌合するか、又は凹部６１及び補助凹部６１ａに嵌合することができるように構成されている。尚、補助凹部６１ａは円孔からなる。
その他の構成及び作用は実施の形態１、３、６と同様であるため、同様の部品については同じ符号を付し、その詳細な説明及び作用効果の説明を省略する。
【０１０３】
実施の形態９
図２９は薄型表示装置の構成を示す側面図、図３０は平面図、図３１は薄型表示装置の一部を分解した側面図である。この薄型表示装置は、実施の形態２に示した薄型表示装置が備える板状の磁石２の表面を波形とし、該磁石２が嵌合されるべき凹凸部６２を有する壁掛用磁性部材６を備える構成としたものである。
【０１０４】
磁石２は表面を上下方向の波形、換言すれば凸部が横筋となる波形とし、裏面を平坦とし、該裏面が磁石保持部材５の後面に貼着されている。
【０１０５】
壁掛用磁性部材６は磁石２の表面に対応して両面が波形に湾曲する矩形の磁性板からなり、上下端から後方へ延出された延出片６ａ，６ａを有し、該延出片６ａ，６ａが壁体に固定されるように構成されている。
【０１０６】
以上のように構成された薄型表示装置は、壁掛用磁性部材６の延出片６ａ，６ａが壁体に固定された状態で、磁石２が壁掛用磁性部材６を吸着し、薄型表示装置本体１を壁掛けすることができる。このとき磁石２の波形の表面が凹凸部６２に吸着されるため、磁石２の接触面積を増加でき、磁力による吸着力をより一層高めることができる。
その他の構成及び作用は実施の形態１、２と同様であるため、同様の部品については同じ符号を付し、その詳細な説明及び作用効果の説明を省略する。
【０１０７】
尚、以上説明した実施の形態では磁石２として矩形をなす一枚又は複数枚の板磁石を用いたが、その他、磁石２は円板形をなす複数の磁石であってもよく、磁石２の構成及び個数は特に制限されない。また、磁石２は接着剤により貼着する他、一部が埋込まれる構成としてもよく、磁石２の保持手段は特に制限されない。
【０１０８】
また、以上説明した実施の形態では凸部５６が挿通される貫通孔２３を有する板状の磁石２を備える構成としたが、その他、磁石２に貫通孔２３を設けることなく、磁石２の周縁より外側に凸部５６が配置される構成としてもよい。
【０１０９】
また、以上説明した実施の形態では凹部６１を、貫通する孔としたが、その他、凹部６１は非貫通の孔であってもよい。
【０１１０】
また、磁石保持部材５は磁性板により形成される他、合成樹脂板等の非磁性板により形成されてもよい。
【０１１１】
また、本発明に係る薄型表示装置は液晶テレビ等の液晶表示装置である他、プラズマ表示装置、ＥＬディスプレイ、液晶モニタ等の薄型表示装置であってもよい。
【図面の簡単な説明】
【０１１２】
【図１】本発明に係る薄型表示装置の構成を示す正面側の斜視図である。
【図２】磁石が設けられていない薄型表示装置の構成を示す背面図である。
【図３】磁石を備える薄型表示装置の構成を示す背面図である。
【図４】本発明に係る薄型表示装置の構成を示す背面図である。
【図５】本発明に係る薄型表示装置の構成を示す側面図である。
【図６】本発明に係る薄型表示装置の構成を示す平面図である。
【図７】本発明に係る薄型表示装置の構成を示す背面図である。
【図８】本発明に係る薄型表示装置の構成を示す側面図である。
【図９】本発明に係る薄型表示装置の構成を示す平面図である。
【図１０】本発明に係る薄型表示装置の構成を示す背面図である。
【図１１】本発明に係る薄型表示装置の構成を示す側面図である。
【図１２】本発明に係る薄型表示装置の構成を示す平面図である。
【図１３】本発明に係る薄型表示装置の構成を示す背面図である。
【図１４】本発明に係る薄型表示装置の構成を示す側面図である。
【図１５】本発明に係る薄型表示装置の構成を示す平面図である。
【図１６】本発明に係る薄型表示装置の構成を示す側面図である。
【図１７】本発明に係る薄型表示装置の一部を分解した側面図である。
【図１８】(a) は磁石保持部材の構成を示す斜視図、(b) は磁石保持部材の構成を示す側面図である。
【図１９】本発明に係る薄型表示装置の磁石の構成を示す斜視図である。
【図２０】磁石が保持された磁石保持部材及び壁掛用磁性部材の構成を示す斜視図である。
【図２１】実施の形態６の他の壁掛け状態を示す側面図である。
【図２２】実施の形態６の他の壁掛け状態を示す側面図である。
【図２３】本発明に係る薄型表示装置の構成を示す側面図である。
【図２４】本発明に係る薄型表示装置の一部を分解した側面図である。
【図２５】(a) は磁石保持部材の構成を示す斜視図、(b) は磁石保持部材の構成を示す側面図である。
【図２６】本発明に係る薄型表示装置の磁石の構成を示す斜視図である。
【図２７】磁石が保持された磁石保持部材及び壁掛用磁性部材の構成を示す斜視図である。
【図２８】本発明に係る薄型表示装置の一部を分解した側面図である。
【図２９】本発明に係る薄型表示装置の構成を示す側面図である。
【図３０】本発明に係る薄型表示装置の構成を示す平面図である。
【図３１】本発明に係る薄型表示装置の一部を分解した側面図である。
【符号の説明】
【０１１３】
１    薄型表示装置本体
１ａ  表示面
２，２ｄ，２ｅ  磁石
２ａ  第１の板磁石
２ｂ  第２の板磁石
２ｃ  第３の板磁石
３    標記部
５    磁石保持部材
５６，５６ａ  凸部
６    壁掛用磁性部材
６１，６１ｂ  凹部
６１ａ  補助凹部
６２  凹凸部
【図１】
2007334258.tif 000003
【図２】
2007334258.tif 000004
【図３】
2007334258.tif 000005
【図４】
2007334258.tif 000006
【図５】
2007334258.tif 000007
【図６】
2007334258.tif 000008
【図７】
2007334258.tif 000009
【図８】
2007334258.tif 000010
【図９】
2007334258.tif 000011
【図１０】
2007334258.tif 000012
【図１１】
2007334258.tif 000013
【図１２】
2007334258.tif 000014
【図１３】
2007334258.tif 000015
【図１４】
2007334258.tif 000016
【図１５】
2007334258.tif 000017
【図１６】
2007334258.tif 000018
【図１７】
2007334258.tif 000019
【図１８】
2007334258.tif 000020
【図１９】
2007334258.tif 000021
【図２０】
2007334258.tif 000022
【図２１】
2007334258.tif 000023
【図２２】
2007334258.tif 000024
【図２３】
2007334258.tif 000025
【図２４】
2007334258.tif 000026
【図２５】
2007334258.tif 000027
【図２６】
2007334258.tif 000028
【図２７】
2007334258.tif 000029
【図２８】
2007334258.tif 000030
【図２９】
2007334258.tif 000031
【図３０】
2007334258.tif 000032
【図３１】
2007334258.tif 000033